(57)【要約】【課題】様々な体型・状態に合わせ、最適にストレッチ可能なストレッチ器具を提供すること。【解決手段】ストレッチ器具１は、左ストレッチ部品２と右ストレッチ部品３の間に、中央土台部品４がある。中央土台部品４の上に中央ストレッチ部品５が載っており、前後に移動する仕組みになっている。移動、静止させるための部品が、可動部品７と可動レール８である。ストレッチ器具１の破損を防ぐため後方補強部品６と上部補強部品９で補強されている。【選択図】図１
2018202111.tif 000002
【特許請求の範囲】
【請求項１】
施術者が把持して、あるいは施術台に固定して患者に当接して用い、前記施術者と前記患者方向に垂直に複数の分割された部品からなるストレッチ器具であって、
中央土台部品と、
前記中央土台部品に固定される左ストレッチ部品と、
前記左ストレッチ部品と前記中央土台部品とが固定されている面と対向する面に固定される右ストレッチ部品と、
前記中央土台部品の前記患者側に配置される中央ストレッチ部品と、
を備えたことを特徴とするストレッチ器具。
【請求項２】
前記中央ストレッチ部品は前記施術者と前記患者方向に移動可能なことを特徴とする請求項１に記載のストレッチ器具。
【発明の詳細な説明】
【技術分野】
【０００１】  本発明はストレッチ器具に関する。特に椎間部・腰部筋肉をストレッチすることにより、腰痛等の症状を解消または軽減させるためのストレッチ器具に関する。
【背景技術】
【０００２】  一般的に、施術者が患者に行う椎間部・腰部筋肉のストレッチとして、施術者の指、もしくは可動なしの三角形のブロックを使用することが知られている。
【発明の概要】
【発明が解決しようとする課題】
【０００３】  しかし施術者の指でストレッチを行う場合、相手の体型により施術者の指では支えきれず、患部の部位を適切に施術できないという問題があった。また、可動なしの三角形のブロックを使用した場合、三角形のブロックと体に接する部分が平坦なため、体型により的確に椎間部のみ、腰部筋肉のみ、椎間部・腰部筋肉を同時にストレッチすることは困難であるという問題があった。
本発明は上記の問題を解決するためで、その目的は様々な人の体型に合わせることが可能なストレッチ器具を提供することを目的とする。
【課題を解決するための手段】
【０００４】  上記課題を解決するために本発明は以下に記載の手段による。
１）施術者が把持して、あるいは施術台に固定して患者に当接して用い、前記施術者と前記患者方向に垂直に複数の分割された部品からなるストレッチ器具であって、
中央土台部品と、
前記中央土台部品に固定される左ストレッチ部品と、
前記左ストレッチ部品と前記中央土台部品とが固定されている面と対向する面に固定される右ストレッチ部品と、
前記中央土台部品の前記患者側に配置される中央ストレッチ部品と、
を備えたことを特徴とするストレッチ器具。
２）前記中央ストレッチ部品は前記施術者と前記患者方向に移動可能なことを特徴とする１）に記載のストレッチ器具。
【発明の効果】
【０００５】  本発明によれば、様々な人の体型に合わせることが可能なストレッチ器具を提供することができる。
【図面の簡単な説明】
【０００６】
【図１】実施の形態にかかるストレッチ器具の斜視図である。
【図２】実施の形態にかかるストレッチ器具の左側面図である。
【図３】実施の形態にかかるストレッチ器具、中央部の左側面図である。
【図４】実施の形態にかかるストレッチ器具を上方から見た図である。
【図５】実施の形態にかかるストレッチ器具を上方から見た図で、中央ストレッチ部品５を前方に移動させた図である。
【図６】実施の形態にかかるストレッチ器具を上方から見た図で、中央ストレッチ部品５を後方に移動させた図である。
【図７】実施の形態にかかるストレッチ器具を患者の腰部に配置した図である。
【図８】実施の形態にかかる中央ストレッチ部品５を前方に移動させて患者の腰部に配置した図である。
【図９】実施の形態にかかる中央ストレッチ部品５を後方に移動させて患者の腰部に配置した図である。
【発明の実施するための形態】
【０００７】  以下、図面を参照して本発明のストレッチ器具の実施の形態について説明する。図１は、実施の形態にかかるストレッチ器具１の外観図斜視図である。図１に示すように、ストレッチ器具１は、左ストレッチ部品２、右ストレッチ部品３、中央土台部品４、中央ストレッチ部品５、後方補強部品６、可動部品７、可動レール８、上方補強部品９から構成されている。中央ストレッチ部品５は、可動部品７、可動レール８を使用することにより、前後に移動可能であり所望の位置で固定できる仕組みである。
【０００８】  ストレッチ器具１であるが、患者に施術する際、施術者は後方補強部品６を把持し、中央ストレッチ部品５の先端を患者に当接してストレッチを行うものである。図１において、左ストレッチ部品２、右ストレッチ部品３、中央土台部品４、中央ストレッチ部品５の尖端方向を前方、後方補強部品６を後方、後方から前方に向かって左右、として説明するものとする。ストレッチ器具１側面から見た形状は三角形で、上方から見た形は長方形である。
【０００９】  左ストレッチ部品２は、中央土台部品４の左側に固定され、左ストレッチ部品２の後方は、後方補強部品６と固定している。左ストレッチ部品２の前方先端は、施術時に患者の左腰部筋肉に接しストレッチする。
【００１０】  右ストレッチ部品３は、中央土台部品４の右側に固定され、右ストレッチ部品３の後方は、後方補強部品６と固定している。右ストレッチ部品３の前方先端は、施術時に患者の右腰部筋肉に接しストレッチする。
【００１１】  中央土台部品４は、中央ストレッチ部品５、可動部品７、可動レール８の土台である。中央土台部品４は、左ストレッチ部品２、右ストレッチ部品３、可動レール８と固定している。
【００１２】  中央ストレッチ部品５は、可動部品７と固定しており、可動部品７、可動レール８を使用し、前後に移動する仕組みである。中央ストレッチ部品５の前方先端は、施術時に患者の椎骨に接し、椎骨間をストレッチする。
【００１３】  後方補強部品６は、左ストレッチ部品２、右ストレッチ部品３に固定され、ストレッチ器具の破損を防ぐ補強部品である。
【００１４】  可動部品７は、中央ストレッチ部品５と固定しており、可動レール８を使用し、中央ストレッチ部品５を前後に移動させ固定する部品である。
【００１５】  可動レール８は、中央土台部品４に固定され、可動部品７をスムーズに移動させるための部品である。
【００１６】  上部補強部品９は、左ストレッチ部品２、右ストレッチ部品３に固定され、ストレッチ器具の破損を防ぐ補強部品である。
【００１７】  図２は、ストレッチ器具１の左側面図で構造を説明する図である。側面の形状は三角形である。破線部は、中央土台部品４、中央ストレッチ器具５、可動部品７、可動レール８である。
【００１８】  図３は、中央土台部品４、中央ストレッチ器具５、可動部品７、可動レール８の構造を説明する左側面図である。図３では構造を見やすくするため、左ストレッチ器具２を外してある。中央ストレッチ部品５は可動部品７と固定している。可動部品７は可動レール８の上に載っており、可動レール８は中央土台部品４と固定している。中央土台部品４は、後方補強部品６と接している。
【００１９】  図４は、ストレッチ器具１を上方から見た図である。中央ストレッチ部品５、左ストレッチ部品２、右ストレッチ部品３、の前方先端が揃っており、中央ストレッチ部品５を前後に移動させていない通常の状態である。上方から見た形は長方形である。
【００２０】  図５は、ストレッチ器具１の中央ストレッチ部品５を、前方に移動（可動部品７使用）させ上方から見た図である。中央ストレッチ部品５は、可動部品７と固定している。可動部品７と可動レール８を使用することにより、中央ストレッチ部品５を前後に移動させ最適な位置で固定できる仕組みである。上方から見た形は凸形である。
【００２１】  図６は、ストレッチ器具１の中央ストレッチ部品５を、後方に移動（可動部品７使用）させ上方から見た図である。中央ストレッチ部品５は、可動部品７と固定している。可動部品７と可動レール８を使用することにより、中央ストレッチ部品５を前後に可動させ最適な位置で固定できる仕組みである。上方から見た形は凹形である。
【００２２】  施術者がストレッチ器具１を使用して施術を行う場合、施術者が患者の体型・状態・症状に合わせて、中央ストレッチ部品５を、前後に移動（可動部品７使用）させ固定する。ストレッチ器具を前後に調節することで、様々な人の体型・状態・症状に合わせて最適に施術することが可能となる。
【００２３】  図７を用いて、ストレッチ器具１の使用方法・施術方法を説明する。患者は施術台に座り、施術者は患者の腰部後方に位置する。患者は少し前かがみになり、施術者は後方からストレッチ器具１の前方先端を患者の腰部（ストレッチする部位）に当て、ストレッチ器具１の後方補強部品６の下部を施術台に接地させる。図７の様にストレッチ器具１を配置する。患者は少し前かがみの状態から、ストレッチ器具１の前方先端が腰部に当たるよう、後方に寄りかかる。施術者は患者の腰部後方から患者の寄りかかる力に負けないように、ストレッチ器具を把持し、しっかり固定する。ストレッチ器具１は患者の寄りかかる力を利用することで、腰部のストレッチができる器具である。
【００２４】  図７に示す患者の椎骨１０は患者の腰椎である。腰椎とは背骨の腰の部分で正常な人の腰椎の数は５つある。腰椎は上半身の全体重を支えるため太くて大きい。また棘突起も幅広く頑丈にできている。棘突起は背中を丸めた時に見える骨の突起である。中央ストレッチ部品５の前方先端が接する場所は、棘突起下部である。椎骨と椎骨の間には椎間円板という線維性軟骨組織があり、脊柱のクッションの役割をしている。椎骨間は日常生活での疲労、過度の負担をかけるなどで、圧迫され間隔が狭くなるといったようなことが起きる。椎骨間の問題で、痛みなどの不快な症状が出ることがある。
【００２５】  図７の患者の腰部筋肉１１は、脊柱起立筋と多裂筋である。作用は脊柱の支持と背屈、側屈、回旋を主に行う筋肉である。脊柱起立筋は、最大の背筋で外側から腸肋筋、最長筋、棘筋が並び、３筋は筋群として協同して働く。多裂筋は脊椎深層を走行している筋肉で、頸椎から骨盤まで伸びている筋肉である。腰部筋肉は日常生活での疲労、過度の負担をかけるなどで、腰部筋肉が疲労し正常に働かなくなり、脊柱に負担がかかり痛みなどの不快な症状が出ることがある。
【００２６】  図８を用いて、ストレッチ器具１の中央ストレッチ部品５を、前方に移動（可動部品７使用）させた時の、使用方法・施術方法を説明する。目的は椎骨間が狭くなり起こる、不快な症状の改善、軽減である。使用方法は中央ストレッチ部品５を前方に移動（可動部品７使用）させる。図８の様に中央ストレッチ部品５の前方先端が、患者の椎骨１０（棘突起下部）に接することになる。左ストレッチ部品２、右ストレッチ部品３の前方先端が患者の体に接することはない。施術方法は段落００２３に記載の方法と同じだが、中央ストレッチ部品５を前方に移動（可動部品７使用）させ固定することにより、患者の椎骨間のみストレッチすることが可能になる。
【００２７】  図９を用いて、ストレッチ器具１の中央ストレッチ部品５を、後方に移動（可動部品７使用）させた時の、使用方法・施術方法を説明する。目的は腰部筋肉の緊張による、不快な症状の改善、軽減である。使用方法は中央ストレッチ部品５を後方に移動（可動部品７使用）させる。図９の様に左ストレッチ部品２、右ストレッチ部品３の前方先端が、患者の腰部筋肉１１と接することになる。中央ストレッチ部品５の前方先端は、患者の椎骨に接することはない。施術方法は段落００２３に記載の方法と同じだが、中央ストレッチ部品５を後方に移動（可動部品７使用）させ固定することにより、患者の腰部筋肉のみストレッチすることが可能になる。
【００２８】  患者の椎骨間・腰部筋肉を同時にストレッチする時の使用方法・施術方法を説明する。目的は、症状により椎骨間・腰部筋肉を、同時にストレッチする必要がある場合である。使用方法は患者の体型（肥満型・やせ型）、状態、症状を考慮し、中央ストレッチ部品５、左ストレッチ部品２、右ストレッチ部品３の前方先端が患者の体に接するように、中央ストレッチ部品５を少し前方、または少し後方に移動（可動部品７使用）させ微調節し固定する。施術方法は段落００２３に記載の方法と同じだが、椎骨間・腰部筋肉を同時にストレッチするため、椎骨間のストレッチをする中央ストレッチ部品５の、椎骨への力の掛かり度合いで、腰部筋肉のストレッチ度合いが変化することになる。椎骨間のストレッチ度合いを強くすれば、腰部筋肉のストレッチ度合いは弱くなる。椎骨間のストレッチを弱くすれば腰部筋肉のストレッチ度合いが強くなる。このように本発明のストレッチ器具では、椎骨間・腰部筋肉を同時にストレッチする時の、比率を変えることができ、最適に患者の椎骨間・腰部筋肉を同時にストレッチすることが可能になる。
【００２９】  ストレッチ器具１に補強部品をさらに設けた例について説明する。図１は、上部補強部品９を左ストレッチ部品２、右ストレッチ部品３に固定して設けた例である。また、後方補強部品６も左ストレッチ部品２、右ストレッチ部品３に固定して設けた例である。図１は、ストレッチ器具１に上部補強部品９、後方補強部品６を設けた例であるが、前述の説明のように補強部品は設けていなくともよい。
【００３０】  図１に示すように、上部補強部品９を平らな補強部品から凹凸型のように変形して設け、中央土台部品４と左ストレッチ部品２、右ストレッチ部品３を固定している留め具を、固定位置変更可能な留め具に変更する。そうすることで中央ストレッチ部品５を上下方向に移動させることにより、中央ストレッチ部品５を前後方向のみならず、上下方向にも移動させることが可能となる。これにより患者の体形に応じて左ストレッチ部品２、右ストレッチ部品３、中央ストレッチ部品５の位置を施術に最適な配置とすることが可能となり、様々な人の体型に合わせることが可能となる。
【００３１】  ストレッチ器具１の先端部の形状について説明する。先端部は患者の体に接する部分であるため、先端部の角を丸く形成し刺激を最小限に抑えなければならない。ストレッチ器具１の先端部は角を無くし丸みがある形状をしている。
【００３２】  中央ストレッチ部品５について説明する。中央ストレッチ部品５は取り外し交換が可能で、先端が様々な形状、素材の部品に交換が可能である。例えば先端の形状が丸みのあるＵ字またはＶ字の形状で、先端部の素材をゴム、ウレタン、ゲル、シリコンなどの衝撃吸収クッション材で形成すれば、棘突起を包み込むように椎骨間のストレッチが可能になる。
【００３３】  左ストレッチ部品２と右ストレッチ部品３の先端部について説明する。左ストレッチ部品２と右ストレッチ部品３の先端部は角を無くし丸みがある形状をしている。左ストレッチ部品２と右ストレッチ部品３の先端部は患者の腰部筋肉に接するため、筋肉をストレッチする目的で、丸みのあるＭ字またはＷ字の形状にしても良い。
【００３４】  ストレッチ器具１の材質は、施術に用いるだけの強度と、施術者が把持して使用するため軽量が求められる。施術に用いるだけの強度と、施術時に扱いやすい重さであれば材質は問わない。材質の例として木材があげられる。木材は施術に用いるだけの強度と施術者が扱いやすい重さである。木材は加工し易く製作コスト面の上でも望ましく最適である。
【００３５】  また、ストレッチ器具１に外装を設ける構成としてもよい。ストレッチ器具１に外装を設ける目的は、施術時に患者の体とストレッチ器具１が接した時に、患者への刺激を最小限に抑えるためである。施術者が把持した時の刺激も最小限に抑えることもでき、すべり止めの効果もある。ストレッチ器具１本体の保護の役割もあるため、施術に用いるだけの強度と、人の体に触れるためクッション性を有する素材が好適である。外装の例としてレザー（本皮・合皮）があげられる。レザー（本皮・合皮）は加工もし易く強度・クッション性もあり、すべり止めの効果もあるため最適である。
【００３６】  さらに、ストレッチ器具１にクッション材を設ける構成としてもよい。ストレッチ器具１と外装との間にクッション材を設け、施術時に患者の体とストレッチ器具１が接した時に、患者への刺激を最小限に抑えるためと、施術者が把持した時の刺激も最小限に抑えるためでもある。外装の内側とストレッチ器具１が直接触れて起こる、摩擦による外装の破損を防ぐ目的でもある。クッション材の例として、綿、スポンジ、フエルト、ゴム、ウレタン、ゲル、シリコン等があり、硬さや厚さを選べる素材や調節できるものが好適である。
【００３７】  ストレッチ器具１の全体の寸法は、施術者がストレッチ器具１を把持の場合、あるいは施術台に置いて使う場合の両方を考慮すれば、縦２０ｃｍ前後、横１０前後、高さ１０ｃｍ前後が最適である。
【符号の説明】
【００３８】１  ストレッチ器具
２  左ストレッチ部品
３  右ストレッチ部品
４  中央土台部品
５  中央ストレッチ部品
６  後方補強部品
７  可動部品
８  可動レール
９  上部補強部品
１０  患者の椎骨
１１  患者の腰部筋肉
【図１】
2018202111.tif 000003
【図２】
2018202111.tif 000004
【図３】
2018202111.tif 000005
【図４】
2018202111.tif 000006
【図５】
2018202111.tif 000007
【図６】
2018202111.tif 000008
【図７】
2018202111.tif 000009
【図８】
2018202111.tif 000010
【図９】
2018202111.tif 000011